(57)【要約】  給糸口を上下動させなくても、適正な給糸が可能になる横編機およびその給糸方法を提供する。  給糸口１０の高さを高くして、複数トラックの給糸口１０の交差時にも歯口に進出する編針１２との干渉を避け、編糸１１を編針１２のフックに捕捉させることができる。（ａ）に示すように、糸喰い位置４ａの編針に、進み量Ｘ０だけ先行する給糸位置９ａの給糸口９からの給糸が適正な場合、給糸口９よりもｙだけ高い位置にある給糸口１０からの給糸を同等の糸喰い条件とすることができる。給糸口１０からの編糸１１を編針１２に給糸しても、給糸口１０の進み量Ｘ２を給糸口９の進み量Ｘ０よりもｘだけ大きくすれば編糸１１の傾斜は同一となる。（ｂ）に示すように、編針１２ａ，１２ｄ，１２ｓの編成条件に応じて、給糸位置１０ａ，１０ｄ，１０ｓでの進み量Ｘ１，Ｘ２，Ｘ３を調整すれば、さらに適正な給糸が可能になる。
2009031322.tif 000002
【特許請求の範囲】
【請求項１】
編針が並設される針床の歯口側の上方に複数のトラックが設けられ、各トラックで給糸口を備えるキャリアが自走し、針床に沿って走行するキャリッジによる駆動で歯口に順次進退して編成動作を行う編針に、給糸口から給糸しながら編地を編成する横編機において、
キャリアの給糸口の高さは、異なるトラックのキャリアの給糸口が交差しても、編成で歯口に進出する編針と干渉しない高さに設定され、
編成の１コース内でキャリアの走行速度を制御して、給糸を受ける編針の位置に対するキャリアの進め量を、編幅の入側の端の編針に対してよりも、該編針を除く編幅内の編針に対して、大きくなるように、かつ給糸口から編針に給糸する編糸の高さが編成時の条件に応じて適正な糸喰い高さとなるように調整する制御装置を、含むことを特徴とする横編機。
【請求項２】
前記制御装置は、前記キャリアの進め量を、前記編幅内で、給糸しない編針が続く区間で、大きくなるように調整することを特徴とする請求項１記載の横編機。
【請求項３】
前記制御装置は、前記キャリッジに対する前記キャリアの速度変更で前記進め量を調整することを特徴とする請求項１または２記載の横編機。
【請求項４】
横編機で針床から歯口に進退して編成動作を行う編針を、順次、針床の一方側に移行させながら、歯口上方の給糸口から編糸を給糸して編地を編成する際に、
給糸を受ける編針での糸喰い高さが編成条件に応じて適正となるように、給糸口が該編針に対して該針床の一方側に先行する進め量を調整することを特徴とする横編機の給糸方法。
【発明の詳細な説明】
【技術分野】
【０００１】
本発明は、編成動作を行う編針に編糸を給糸して編地を編成する横編機およびその給糸方法に関する。
【背景技術】
【０００２】
従来から、横編機では、針床に並設される編針を、針床に沿って走行するキャリッジに搭載するカムで選択的に駆動して、編地を編成している。Ｖベッド型の横編機では、一対の針床が歯口を挟んで対向するように、前後に配置される。歯口は横編機の左右方向に延び、各針床は、歯口側が高く、歯口から離れると低くなるように傾斜する。各針床で選択的に駆動される編針は、歯口に進退し、歯口の上方から編糸の給糸を受けて編目を形成する。編針に給糸する編糸は、歯口の上方に架設される糸道レールに沿って走行するヤーンフィーダなどのキャリアが備える給糸口から編針に供給される。キャリアを複数設けておき、キャリッジで選択的に連行することによって、編糸を切換えて編地を編成することができる。【０００３】
図３は、キャリッジに搭載されるカムの配置の例を示す。キャリッジの地板１には、たとえば中心線１ａの左右両側に二組のカムシステム２，３が搭載される。各組のカムシステム２，３は、編針駆動用の編成カム２ａ，３ａと、選針用の選針カム２ｂ，３ｂとを含み、左右が同一の構成を有する。キャリッジに搭載されるカムシステムの数は、一組の場合もあり、また三組以上の場合もある。複数組のカムシステムは、各組が同一の構成の場合もあり、異なる構成の場合もある。このような構成のカムシステム２，３で駆動する編針は、べら針であり、歯口に進退する先端にフックが設けられてべらで開閉し、尾端側には選針用のバットが設けられる。編針の先端と尾端との間には、編成カム２ａ，３ａが作用する駆動用のバットが設けられる。【０００４】
編成カム２ａ，２ｂは、バット通路４に沿って編針の駆動用バットを案内する。針床には、図３としての上下に相当する方向に延びる針溝が、図３としての左右方向に一定のピッチで並ぶように形成されている。各編針は、それぞれ針溝に収容されて、針溝内で針溝の延びる方向に摺動変位する。バット通路４は、ニードルレイジングカム５の上縁とニードルガイドカム６の下縁との間に形成される。バット通路４の両側には、度山とも呼ばれるステッチカム７，８が配置される。【０００５】
たとえば、矢符１Ｒで示す右方に地板１が移動するようにキャリッジが走行する場合を想定する。バット通路４による案内で編針が糸喰い位置４ａに達すると、糸喰い位置４ａに対して進め量Ｘ０だけ先行するキャリアの給糸口９から編糸が編針のフックに供給される。バット通路４に沿って案内される編針の駆動用バットは、中央の山形区間４ｂを過ぎて水平な肩区間４ｃに移行してから、糸喰い位置４ａで再び下降を開始する。糸喰い位置４ａよりも左側にあり、既に給糸を受けている編針は、駆動用バットがステッチカム８の斜面に沿って引下げられる。この引下げの際に、編糸がフック内に捕捉され、編針が針幹側に係止している旧ループは、ノックオーバされる。ノックオーバの際には、べらでフックが閉じる。糸喰い位置４ａよりも後行側に、先に給糸を受けて編目を形成している編針が存在する場合、糸喰い位置４ａの編針のフックには、後行側の編針のフックに捕捉された編糸から先行側の給糸口９に延びる編糸が捕捉される。糸喰い位置４ａの編針よりも先に給糸を受ける編針がない場合、糸喰い位置４ａの編針が入側の編端となり、この編針自身の針幹側に係止している旧ループから給糸口９に延びる編糸がフックに捕捉される。【０００６】
キャリアは、キャリッジから出没する連行ピンに係合して連行される。キャリッジが連行中のキャリアの給糸口９は、キャリッジのカムシステムに対しては相対的に給糸位置９ａで静止する。給糸位置９ａは、糸喰い位置４ａよりも進め量Ｘ０だけ先行側となる。【０００７】
キャリッジの連行ピンの出没制御で、複数のキャリアを切換えて使用するような場合、それぞれの給糸口９が歯口付近の同一空間を占めて、干渉するおそれがある。切換え前に使用するキャリアを編幅の外部に退避させてから、切換え後に使用するキャリアを連行すれば干渉を避けることができるけれども、キャリッジの走行距離が長くなる。また、インターシャ柄やジャカード柄の編地のように、複数のキャリアを編幅内で、それぞれのキャリアからの編糸で編成する区間が終了する境界付近に留めておき、繰返して使用するような場合、キャリアを編幅外に退避させることはできない。複数のキャリアを編幅内に留めておいて切換え可能にするためには、給糸口９がキャリアから垂下する方向に、上下動可能にしておく必要がある（たとえば、特許文献１参照。）。また、給糸口９を揺動変位させて、給糸と退避とを切換えるキャリアも用いられる（たとえば、特許文献２参照。）。【０００８】
キャリアを、キャリッジに連行して移動するのではなく、自走可能にしておけば、キャリアの切換えのみに必要なキャリッジの走行を省略し、生産性を向上させることができると期待される。キャリッジの一行程の走行中に、複数の自走式キャリアを切換えて使用しながら、インターシャ柄等を編成する横編機の柄出機構も開示されている（たとえば、特許文献３参照。）。特許文献３の第４欄第５行目〜第１６行目には、給糸口９に相当する部分が「上下スライド自在」であり、「コイルばね」で「常時上向きの弾性が付勢され、柄により必要時に少し上下動する。」と記載されている。この記載は、特許文献３の第８図等を参照すると、インターシャ柄の複数の区間の編成に使用する給糸口をばね付勢で高い位置に保って干渉を避け、各区間の編成に使用する給糸口のみ上下動で低くすると解釈される。  
【特許文献１】特許３０４４３７０号公報
【特許文献２】国際公開第０２／０７９５５６号パンフレット
【特許文献３】実公平３−５４１５０号公報
【発明の開示】
【発明が解決しようとする課題】
【０００９】
編針のフックに糸喰いさせるための編糸を供給するキャリアの給糸口９の歯口での高さは、編針の上方でも低い方が、編糸の振れも少なくて好ましい。しかし、給糸口９同士の干渉、インターシャ柄やジャカード柄等の編成時に休止している給糸口９から延びる編糸を編成に使用する編針が誤って喰ってしまう問題が発生するおそれがある。特許文献１および特許文献２のような給糸口９の上下動機構は、このような問題を防止するために設けられる。【００１０】
しかしながら、給糸口９の上下動機構を設けると、キャリアの構成が複雑化して製造コストが増大する。また、特許文献３のような自走式のキャリアでは、上下動機構を備えることによる重量の増大は、走行を駆動する負荷も増大させてしまう。【００１１】
本発明の目的は、給糸口を上下動させなくても、適正な給糸が可能になる横編機およびその給糸方法を提供することである。
【課題を解決するための手段】
【００１２】
本発明は、編針が並設される針床の歯口側の上方に複数のトラックが設けられ、各トラックで給糸口を備えるキャリアが自走し、針床に沿って走行するキャリッジによる駆動で歯口に順次進退して編成動作を行う編針に、給糸口から給糸しながら編地を編成する横編機において、
キャリアの給糸口の高さは、異なるトラックのキャリアの給糸口が交差しても、編成で歯口に進出する編針と干渉しない高さに設定され、
編成の１コース内でキャリアの走行速度を制御して、給糸を受ける編針の位置に対するキャリアの進め量を、編幅の入側の端の編針に対してよりも、該編針を除く編幅内の編針に対して、大きくなるように、かつ給糸口から編針に給糸する編糸の高さが編成時の条件に応じて適正な糸喰い高さとなるように調整する制御装置を、含むことを特徴とする横編機である。【００１３】
また本発明で、前記制御装置は、前記キャリアの進め量を、前記編幅内で、給糸しない編針が続く区間で、大きくなるように調整することを特徴とする。【００１４】
また本発明で、前記制御装置は、前記キャリッジに対する前記キャリアの速度変更で前記進め量を調整することを特徴とする。【００１５】
さらに本発明は、横編機で針床から歯口に進退して編成動作を行う編針を、順次、針床の一方側に移行させながら、歯口上方の給糸口から編糸を給糸して編地を編成する際に、
給糸を受ける編針での糸喰い高さが編成条件に応じて適正となるように、給糸口が該編針に対して該針床の一方側に先行する進め量を調整することを特徴とする横編機の給糸方法である。
【発明の効果】
【００１６】
本発明によれば、自走式のキャリアの高さを、異なるトラックのキャリアの給糸口が交差しても、編成で歯口に進出する編針と干渉しない高さに設定するので、キャリアを複数使用する場合でも編針との干渉を避けることができる。給糸口が高くなるので、休止している給糸口から延びる編糸を編成に使用する編針が誤って喰ってしまう問題なども生じにくくすることができる。また、給糸口同士の干渉で接触しても損傷には至らず、編成には支障がないようにすることができる。編幅の入側の編端の編針では、キャリアの進め量が小さくなるので、高い位置の給糸口が編針に近づき、針幹側に係止される旧ループからフックに対して低い位置で編糸が引出されても、高い位置の給糸口まで上昇する途中の適正な高さで編糸をフックに喰わせることができる。編幅内の他の編針に対しては、キャリアの進め量を大きくするので、フックに喰わせる編糸の高さを給糸口の高さよりも低くし、適正な給糸を可能にすることができる。キャリアに上下動機構を設けて給糸口を上下動させなくても、適正な給糸が可能になるので、コスト低減を図り、走行を駆動する際の負荷も軽減することができる。【００１７】
また本発明によれば、キャリアの進め量を、編幅内で、給糸しない編針が続く区間で、大きくなるように調整するので、給糸する編針には、高い位置の給糸口まで上昇する途中の適正な高さで編糸をフックに喰わせることができる。編糸の高さを低くするために、編成に使用しない編針を利用する必要はなく、キャリアの進め量の調整で適正な給糸を実現することができる。【００１８】
また本発明によれば、編針を編成駆動するキャリッジの走行に応じての速度変更でキャリアの進め量を調整するので、編針の編成動作に応じて適切に編糸を給糸することができる。【００１９】
さらに本発明によれば、給糸を受ける編針での糸喰い高さが編成条件に応じて適正となるように、給糸口の編針に対する進め量を調整するので、給糸口を上下動させなくても、適正な給糸が可能になる。
【図面の簡単な説明】
【００２０】
【図１】図１は、本発明の実施の一形態として、横編機の給糸方法の基本的な考え方を示す図である。
【図２】図２は、図１に示すような給糸方法に従って編糸を給糸可能な横編機２０の概略的な電気的構成を簡略化して示すブロック図である。
【図３】図３は、従来から、キャリッジに搭載されているカムの配置の例を示す図である。
【符号の説明】
【００２１】
１０  給糸口
１０ａ，１０ｂ，１０ｃ，１０ｄ，１０ｅ，１０ｆ，…，１０ｓ  給糸位置
１１，１１ａ，１１ｂ，１１ｓ  編糸
１２，１２ａ，１２ｂ，１２ｃ，１２ｄ，１２ｅ，１２ｆ，１２ｓ  編針
１４  旧ループ
２０  横編機
２１  針床
２２  歯口
２３  キャリッジ
３３  キャリア
４０  制御装置
４１  メインコントローラ
【発明を実施するための最良の形態】
【００２２】
図１は、本発明の実施の一形態として、横編機の給糸方法の基本的な考え方を示す。（ａ）は、編幅の途中の編針に対して、給糸口の進め量を設定する基準を示す。（ｂ）は、糸喰い高さが編成条件に応じて適正となるように、給糸口が給糸対象の編針に対して先行する進め量を調整する基準を示す。【００２３】
図１（ａ）に示すように、本発明の考え方を適用すると、給糸口１０の高さは、従来の基準となる給糸口９の適正高さよりも高くしても、編糸１１を編針１２のフックに従来と同等に近い状態で捕捉させることができる。たとえば図３の従来例では、糸喰い位置４ａの編針に、進め量Ｘ０だけ先行する給糸位置９ａの給糸口９から給糸すると、適正な糸喰いが実現されることを基準としている。図１（ａ）は、従来の給糸口９の基準よりもｙだけ高い位置にある給糸口１０から編糸１１を編針１２に給糸しても、給糸口１０の進め量Ｘ２を給糸口９の進め量Ｘ０よりもｘだけ大きくすれば編糸１１の傾斜は同一となることを示す。編糸１１は、たとえば編針１２よりも先に給糸を受けている編針のフックから給糸口９，１０まで延びる。ただし、適正な糸喰い高さとなる最適な進め量は、編針１２に関する編成条件で異なってくる。なお、編針１２は、図３のようなカムで駆動するべら針ばかりではなく、たとえば特許第２９４６３２３号に開示されているような複合針であっても同様に本発明を適用することができる。【００２４】
給糸口１０を複数用いる場合、給糸口１０が走行するトラックを複数配置する。異なるトラックを走行する給糸口１０が行き違う交差を可能にすると、損傷しない程度の給糸口１０同士の接触を許容しても、給糸口１０が通過する空間の範囲が歯口で広がり、歯口に進出する編針と干渉しやすくなる。従来の給糸口９よりも給糸口１０の高さをｙだけ高くすることによって、歯口を通過する際などでの給糸口１０と歯口に進出する編針との干渉を避けることができる。【００２５】
図１（ｂ）は、編針１２ａ，１２ｂ，１２ｃ，１２ｄ，１２ｅ，１２ｆ，…，１２ｓが並ぶ区間を編成する場合に、各編針１２ａ，１２ｂ，１２ｃ，１２ｄ，１２ｅ，１２ｆ，…，１２ｓでの編成条件に基づいて、最適な進め量を異ならせる方が好ましいことを示す。編針１２ａ，１２ｂ，１２ｃ，１２ｄ，１２ｅ，１２ｆ，…，１２ｓの区間を、給糸口１０が右方に移動して編成する場合、左端の編針１２ａが入側となる。このような右方への編成コースは、左方への編成コースに続いて行われる。キャリッジは、符号１３で示すように、走行方向を反転する。右方への編成でフックを歯口に進出させると、左端の編針１２ａでは、フックから針幹に、左方への編成で形成されている編目が旧ループ１４として移行する。【００２６】
右方への編成の始りとなる左端の編針１２ａのフックに新ループとなる編目を形成するために、給糸位置１０ａの給糸口１０から供給する編糸１１ａは、針幹に移行している旧ループ１４から引出される。旧ループ１４は、編針１２ａの針幹に係止されているので、編糸１１ａが引出される位置は、編針１２ａのフックの位置より低くなる。編針１２ａに対しても、図１（ａ）のように進め量Ｘ２だけ先行させる給糸口１０から編糸１１を給糸すると、編糸１１を引出す位置が低くなるので、糸喰いの高さも低くなってしまう。糸喰いの高さが低くなると、編針１２ａで旧ループ１４が係止されている針幹側に給糸され、フック内に捕捉されずに旧ループ１４とともにノックオーバされたり、べら針ではべらの先端に掛って編糸１１が割られてしまうおそれがある。したがって、入側の端の編針１２ａに対しては、給糸位置１０ａの進め量Ｘ１を、中間の編針１２ｄに対する給糸位置１０ｄなどでの進め量Ｘ２よりも小さく設定し、編糸１１ａを高い位置で給糸させることが好ましい。編幅の入側の編端の編針１２ａでは、給糸位置１０ａの進め量Ｘ１が小さくなるので、高い位置の給糸口１０ａが編針１２ａに近づき、針幹側に係止される旧ループ１４からフックに対して低い位置で編糸１１ａが引出されても、高い位置の給糸口１０まで上昇する途中の適正な高さで編糸１１ａをフックに喰わせることができる。【００２７】
入側の編針１２ａに続いて、連続して編目を形成する編針１２ｂ，１２ｃ，１２ｄ，１２ｅ，１２f，…区間の途中の編針１２ｄに対しては、先に給糸を受ける編針１２ｃのフックに捕捉されている編糸がフックに供給される。したがって、図１（ａ）に示すような進め量Ｘ２の給糸位置１０ｄとなるように給糸口１０を先行させる。編端の編針１２ａに対する給糸位置１０ａの進め量Ｘ１から連続編成区間の編針１２ｂ，１２ｃ，１２ｄ，１２ｅ，１２ｆ，…に対する給糸位置１０ｄなどの進め量Ｘ２への変更は、給糸口１０を自走させる速度を変化させて実現することができる。ただし、入側の編針１２ａに隣接する編針１２ｂに対して進め量をＸ１からＸ２に瞬間的に変更することは困難である。したがって、連続して編目を形成する編針１２ｂ，１２ｃ，１２ｄ，１２ｅ，１２f，…区間に入ると、キャリアの連続的な速度制御で進め量がＸ１からＸ２に変更される。【００２８】
未使用の編針１２ｅ，１２ｆ，…が続いてから編針１２ｓのフックに編糸１１ｓを給糸する場合は、給糸位置１０ｓでの進め量Ｘ３をＸ２よりも大きくする。図１（ａ）で編針１２よりも左側で既に給糸を受けている編針のフックまでの編糸１１の長さに相当する部分が延びるので、右側に相当する部分の進め量をＸ２のままにすると、編針１２に給糸する編糸の高さが高くなってしまう。編針１２ｓのフックに編糸１１ｓを確実に喰わせるためには、給糸口１０の給糸位置１０ｓでの進め量Ｘ３を、Ｘ２よりも大きくする必要がある。  【００２９】
なお、図１（ａ）で、編出しなどで編糸１１を最初に使用する場合、図の左端は、たとえば針床の端部に設けられるグリッパなどに保持されている。針床の端での編糸１１の保持高さは、繰返し編成の途中で入側となる編針１２の針幹での保持高さよりも低くなる。最初に編糸１１を編針１２に給糸する場合、給糸口１０の進め量は、針床の端での編糸１１の保持位置と、編幅の入側の端となる編針１２との間隔に応じて設定する。給糸する編糸１１の高さを高くする場合は進め量を低減し、高さを低くする場合は進め量を増大させればよい。【００３０】
図２は、図１に示すような給糸方法に従って編糸を給糸可能な横編機２０の概略的な電気的構成を簡略化して示す。横編機２０は、図の左右方向に延びる針床２１を有する。針床２１は、前後に対をなすように設けられる。前後の針床２１は、間隔をあけて対峙し、中間は歯口２２となっている。針床２１には、図示を省略しているけれども、一定のピッチで多数の編針が並設される。編針の選択的な駆動は、カムを搭載するキャリッジ２３が針床２１に沿って往復走行する途中で行われる。針床２１またはその近傍には、キャリッジ２３の走行を案内するキャリッジレール２４も設けられる。キャリッジ２３の針床２１に沿う走行の駆動は、モータ２５でタイミングベルト２６を介して行う。モータ２５としては、たとえばサーボモータを用いる。モータ２５の出力軸にはプーリ２７が取付けられ、プーリに無端状のタイミングベルト２６が掛け渡される。【００３１】
給糸口１０は、歯口２２の上方に架設されるキャリアレール３１のトラックで案内されて左右に自走するキャリア３３から垂下する。給糸口１０の高さは、従来、適切とされている高さよりも高くすることができる。給糸口１０の高さを高くすれば、複数のキャリアレール３１を並べ、各キャリアレール３１で給糸口１０を使用する場合であっても、給糸口１０相互の干渉を避け行き違う交差が可能で、かつ給糸口１０と歯口２２に進出する編針との干渉も避けることができる。図では一つの給糸口１０のみを示しているけれども、たとえばキャリアレール３１の裏側でも同様なキャリア３３を案内することができる。この場合は、一つのキャリアレール３１の裏表に、キャリア３３が自走するトラックがそれぞれ設けられる。また、同様なキャリアレール３１を、紙面に垂直な方向に、複数並べることができる。【００３２】
キャリア３３は、モータ３５でタイミングベルト３６を駆動して走行させることができる。モータ３５の出力軸には、プーリ３７を取付け、プーリ３７にタイミングベルト３６を掛け渡す。キャリア３３を複数用いる場合は、同様の構成を、各キャリア３３に対して使用すればよい。キャリア３３は、給糸口１０を上下動させる機構を含まないので、小形化、軽量化することができ、モータ３５の負荷を軽減して、キャリア３３を高速走行させることもできる。モータ３５としては、サーボモータやステッピングモータを使用することができる。【００３３】
図１に示すような給糸方法は、制御装置４０によるキャリッジ２３とキャリア３３との走行制御で実現することができる。制御装置４０は、横編機２０の全体的な制御を行い、キャリッジ２３の走行を駆動するモータ２５のドライバ４２と、キャリア３３の走行を駆動するモータ３５のドライバ４３とを含む。メインコントローラ４１は、横編機２０で編成する編地の柄データなどに基づいて、キャリッジ２３を走行させる複数の編成コースを設定し、各編成コース毎に編成に使用する編針を決定する。さらにメインコントローラ４１は、編成に使用する各編針に対して、糸喰いのタイミングで適正な進め量となるように、ドライバ４２，４３に対して、キャリッジ２３とキャリア３３とを走行させる制御を行う。【００３４】
また、図１（ｂ）では、一つの編成コースで、給糸口１０の給糸位置１０ａ，１０ｄ，１０ｓでの進め量をＸ１からＸ２、さらにＸ３に変更しているけれども、Ｘ１からＸ３に変更したり、Ｘ３からＸ２に変更したりすることもできる。いずれの進め量の変更も、給糸口１０の速度変更で実現することができる。
【図１】
2009031322.tif 000003
【図２】
2009031322.tif 000004
【図３】
2009031322.tif 000005
【手続補正書】
【提出日】平成21年7月6日(2009.7.6)
【手続補正１】
【補正対象書類名】特許請求の範囲
【補正対象項目名】全文
【補正方法】変更
【補正の内容】
【特許請求の範囲】
【請求項１】
編針が並設される針床の歯口側の上方に複数のトラックが設けられ、各トラックで給糸口を備えるキャリアが自走し、針床に沿って走行するキャリッジによる駆動で歯口に順次進退して編成動作を行う編針に、給糸口から給糸しながら編地を編成する横編機において、
キャリアの給糸口の高さは、異なるトラックのキャリアの給糸口が交差しても、編成で歯口に進出する編針と干渉しない高さに設定され、
編成の１コース内でキャリアの走行速度を制御して、給糸を受ける編針の位置に対するキャリアの進め量を、編幅の入側の端の編針に対してよりも、該編針を除く編幅内の編針に対して、大きくなるように、かつ給糸口から編針に給糸する編糸の高さが編成時の条件に応じて適正な糸喰い高さとなるように調整する制御装置を、含むことを特徴とする横編機。
【請求項２】
前記制御装置は、前記キャリアの進め量を、前記編幅内で、給糸しない編針が続く区間で、大きくなるように調整することを特徴とする請求項１記載の横編機。
【請求項３】
前記制御装置は、前記キャリッジに対する前記キャリアの速度変更で前記進め量を調整することを特徴とする請求項１または２記載の横編機。
【請求項４】
横編機で針床から歯口に進退して編成動作を行う編針を、順次、針床の一方側に移行させながら、歯口上方の給糸口から編糸を給糸して編地を編成する際に、
横編機の制御装置で、給糸を受ける編針での糸喰い高さが編成条件に応じて適正となるように、給糸口が該編針に対して該針床の一方側に先行する進め量を、編幅の入側の端の編針に対してよりも、該編針を除く編幅内の編針に対して、大きくなるように調整することを特徴とする横編機の給糸方法。
【手続補正２】
【補正対象書類名】明細書
【補正対象項目名】０００５
【補正方法】変更
【補正の内容】
【０００５】
、順次、針床の一方側に移行させながら、歯口上方の給糸口から編糸を給糸して編地を編成する際に、
横編機の制御装置で、給糸を受ける編針での糸喰い高さが編成条件に応じて適正となるように、給糸口が該編針に対して該針床の一方側に先行する進め量を、編幅の入側の端の編針に対してよりも、該編針を除く編幅内の編針に対して、大きくなるように調整することを特徴とする横編機の給糸方法である。
発明の効果
［００１６］
本発明によれば、自走式のキャリアの高さを、異なるトラックのキャリアの給糸口が交差しても、編成で歯口に進出する編針と干渉しない高さに設定するので、キャリアを複数使用する場合でも編針との干渉を避けることができる。給糸口が高くなるので、休止している給糸口から延びる編糸を編成に使用する編針が誤って喰ってしまう問題なども生じにくくすることができる。また、給糸口同士の干渉で接触しても損傷には至らず、編成には支障がないようにすることができる。編幅の入側の編端の編針では、キャリアの進め量が小さくなるので、高い位置の給系口が編針に近づき、針幹側に係止される旧ループからフックに対して低い位置で編糸が引出されても、高い位置の給糸口まで上昇する途中の適正な高さで編糸をフックに喰わせることができる。編幅内の他の編針に対しては、キャリアの進め量を大きくするので、フックに喰わせる編糸の高さを給糸口の高さよりも低くし、適正な給糸を可能にすることができる。キャリアに上下動機構を設けて給糸口を上下動させなくても、適正な給糸が可能になるので、コスト低減を図り、走行を駆動する際の負荷も軽減することができる。
［００１７］
また本発明によれば、キャリアの進め量を、編幅内で、給糸しない編針が続く区間で、大きくなるように調整するので、給糸する編針には、高い位置の給糸口まで上昇する途中の適正な高さで編糸をフックに喰わせることができる。編糸の高さを低くするために、編成に使用しない編針を利用する必要はなく、キャリアの進め量の調整で適正な給糸を実現することができる。
【手続補正３】
【補正対象書類名】明細書
【補正対象項目名】０００６
【補正方法】変更
【補正の内容】
【０００６】
［００１８］
また本発明によれば、編針を編成駆動するキャリッジの走行に応じての速度変更でキャリアの進め量を調整するので、編針の編成動作に応じて適切に編糸を給糸することができる。
［００１９］
さらに本発明によれば、横編機の制御装置で、給糸を受ける編針での糸喰い高さが編成条件に応じて適正となるように、給糸口の編針に対する進め量を、編幅の入側の端の編針に対してよりも、該編針を除く編幅内の編針に対して、大きくなるように調整するので、給糸口を上下動させなくても、適正な給糸が可能になる。
図面の簡単な説明
［００２０］
［図１］図１は、本発明の実施の一形態として、横編機の給糸方法の基本的な考え方を示す図である。
［図２］図２は、図１に示すような給糸方法に従って編糸を給糸可能な横編機２０の概略的な電気的構成を簡略化して示すブロック図である。
［図３］図３は、従来から、キャリッジに搭載されているカムの配置の例を示す図である。
符号の説明
［００２１］
１０  給糸口
１０ａ，１０ｂ，１０ｃ，１０ｄ，１０ｅ，１０ｆ，…，１０ｓ  給糸位置
１１，１１ａ，１１ｂ，１１ｓ  編糸
１２，１２ａ，１２ｂ，１２ｃ，１２ｄ，１２ｅ，１２ｆ，１２ｓ  編針
１４  旧ループ
２０  横編機
２１  針床
２２  歯口
２３  キャリッジ
３３  キャリア
４０  制御装置
４１  メインコントローラ
発明を実施するための最良の形態
［００２２］
図１は、本発明の実施の一形態として、横編機の給糸方法の基本的な考え
【国際調査報告】
2009031322.tif 000006
2009031322.tif 000007
2009031322.tif 000008
2009031322.tif 000009